(57)【要約】【課題】標準尺の管理、細かい字で印刷されている食料品の賞味期限確認と現在日時の比較等、拡大鏡を用いる環境下で、現在の日付等の確認を容易にできるようにする。【解決手段】フレーム２に拡大用レンズ１と、該レンズの周囲に少なくとも現在の日付を表示するカレンダー表示部５とを設ける。また、フレーム２のカレンダー表示部５を配置した裏側には照明具８を設け、観察物を見やすくする。その際、フレームには取っ手３を設け、全体として虫めがね状とし、或いはフレームを平面視矩形、三角形状、楕円形状としても良い。また、フレームは互いに直交する第１平板部と第２平板部からなる断面視Ｌ字形とし、或いは、互いに直交する第１平板部と第２平板部、及び第１平板部と平行な底板部からなる断面視コ字形状をなすように形成しても良い。【選択図】図１
2008242072.tif 000002
【特許請求の範囲】
【請求項１】
フレームに拡大用レンズと、該レンズの周囲に少なくとも現在の日付を表示するカレンダー表示部とを設けたことを特徴とするカレンダー付拡大鏡。
【請求項２】
前記フレームのカレンダー表示部を配置した裏側には、照明具を設けたことを特徴とする請求項１記載のカレンダー付拡大鏡。
【請求項３】
前記フレームには取っ手を設け、全体として虫めがね状をなすことを特徴とする請求項１記載のカレンダー付拡大鏡。
【請求項４】
前記フレームは平面視矩形をなし、前記レンズの周囲にカレンダー表示部を配置したことを特徴とする請求項１記載のカレンダー付拡大鏡。
【請求項５】
前記フレームは平面視三角形状をなし、前記レンズの周囲にカレンダー表示部を配置したことを特徴とする請求項１記載のカレンダー付拡大鏡。
【請求項６】
前記フレームは平面視楕円形状をなし、前記レンズの周囲にカレンダー表示部を配置したことを特徴とする請求項１記載のカレンダー付拡大鏡。
【請求項７】
前記フレームは互いに直交する第１平板部と第２平板部からなる断面視Ｌ字形をなすことを特徴とする請求項１記載のカレンダー付拡大鏡。
【請求項８】
前記フレームは互いに直交する第１平板部と第２平板部、及び第１平板部と平行な底板部からなる断面視コ字形状をなすことを特徴とする請求項１記載のカレンダー付拡大鏡。
【請求項９】
前記フレームはレンズを設けた第１平板部と、該第１平板部の両側から同方向に平行に延びる第２平板部及び第３平板部とからなることを特徴とする請求項１記載のカレンダー付拡大鏡。
【請求項１０】
前記フレームには固定用の磁石を設けたことを特徴とする請求項１記載のカレンダー付拡大鏡。
【発明の詳細な説明】
【技術分野】
【０００１】
この発明は被測定物の表面汚染や表面変形の観察と観察日時の記録の際、或いは食料品等に付されている細かい字で記載された賞味期限等の視認と現在の日と比較する際に、容易にそれらの作業を行うことができるようにしたカレンダー付拡大鏡に関する。  
【背景技術】
【０００２】
被測定物の表面汚染、粉塵の付着、更には微細な表面変形は、測定値の品質を低下させる原因となる。例えば精密な長さ測定を可能とするために、スケール校正用の標準尺は、直方体のガラスに精密なメモリを付しているが、この標準尺を用いて実際にスケールの校正を行うとき、標準尺に僅かな粉塵が付着していると目盛の読み誤り等により、誤った校正を行うことがある。そのため、標準尺の表面において特に目盛部分に粉塵等が付着していないかを拡大鏡で検査することが不可欠である。
【０００３】
このような標準尺の表面検査はある程度定期的に行うこととなるが、実際に表面検査を行ったときには検査を行った日時を記録しておくことが、標準尺管理のために好ましい。したがって検査終了時に検査の日時を記録する必要があるが、検査を行った時間については腕時計でわかる場合が多いが、今日は何日であるかについては、これを示す腕時計を所持する人は少なく、また明確に記憶していないことも多いほか、その場所の周囲にカレンダーが存在しないことも多い。そのため、充分確認しない日付けを記載してしまうこともあり、そのときには標準尺の適切な管理が行われないこととなる。
【０００４】
また、食料品の販売に際して、食料品の種類に応じて製造年月日、賞味期限や消費期限を表示することが義務づけられている。したがって消費者はこれらを確認してできる限り新鮮なものを購入し、或いは賞味期限切れや消費期限切れの物を買わないように気をつけている。しかしながらこれらの年月日の記載部分は小さく記録されていることが多く、老人にとっては老眼鏡によっても視認が困難なことが多い。そのため、どうしてもこれを確認したいときは、拡大鏡を用いてこれらを見る必要がある。その際には拡大鏡により賞味期限等が確認できても、周囲にカレンダーがないときには今日は何日であったか思い出せない場合も多く、拡大鏡を用いて賞味期限等を見ても、その期限の判断が困難となる問題もある。
【０００５】
なお、携帯用時計のカバーガラスを拡大鏡として用いることができるようにしたルーペ付携帯時計は下記特許文献に記載されている。
【特許文献１】特開平８−１５２４８６号公報
【発明の開示】
【発明が解決しようとする課題】
【０００６】
前記のように、例えば標準尺管理のために、標準尺の表面に粉塵等が付着していないかを定期的に検査するため拡大鏡が不可欠であり、且つその検査を行った日時を記録する必要があるのに対して、特に日付を確認することが困難であるという問題があった。また、食料品管理のために記載されている賞味期限等はその記載が小さいため、特に老人等はその視認が困難であり、拡大鏡を用いる必要があるが、拡大鏡を用いて賞味期限等が確認できても今日が何日であったかを思い出せないという問題もあった。
【０００７】
更に上記特許文献に開示されている技術は、拡大鏡を常日頃持ち運ぶことの困難性を解消するために携帯時計のカバーガラスをルーペとしたものであり、この携帯時計は多くの場合腕時計であるため、この腕時計を腕にはめたまま拡大鏡を使用するときには不自然な手の操作を行わなければならず使用が困難であり、腕時計を外して使用する際は腕時計のはめ外しが面倒である。また、このような腕時計に固定した簡易な拡大鏡は、その性能上前記のような標準尺管理のために使用することは適切ではない。
【０００８】
したがって本発明は、拡大鏡を用いる環境下で、年月日や日時の確認を容易に行うことができるカレンダー付拡大鏡を提供することを主たる目的とする。
【課題を解決するための手段】
【０００９】
本発明に係るカレンダー付拡大鏡は、上記課題を解決するため、フレームに拡大用レンズと、該レンズの周囲に少なくとも現在の日付を表示するカレンダー表示部とを設けたことを特徴とする。
【００１０】
また、本発明に係る他のカレンダー付拡大鏡は、前記カレンダー付拡大鏡において、前記フレームのカレンダー表示部を配置した裏側には、照明具を設け、また、前記フレームには取っ手を設け、全体として虫めがね状をし、または、前記フレームは平面視矩形、三角形状、楕円形状をなし、前記レンズの周囲にカレンダー表示部を配置し、または、前記フレームは互いに直交する第１平板部と第２平板部からなる断面視Ｌ字形をなし、更に、前記フレームは互いに直交する第１平板部と第２平板部、及び第１平板部と平行な底板部からなり、また、前記フレームはレンズを設けた第１平板部と、該第１平板部の両側から同方向に平行に延びる第２平板部及び第３平板部とからなり、更に前記フレームには固定用の磁石を設けたことを特徴とする。
【発明の効果】
【００１１】
本発明は上記のように構成したので、拡大鏡を用いる環境下で、年月日や日時の確認を容易に行うことができるようになる。
【発明を実施するための最良の形態】
【００１２】
本発明は拡大鏡を用いる環境下で、年月日や日時の確認を容易に行うという課題を、フレームに拡大用レンズと、該レンズの周囲に少なくとも現在の日付を表示するカレンダー表示部とを設けることによって実現した。
【実施例１】
【００１３】
本発明の実施例を図面に沿って説明する。本発明のカレンダー付拡大鏡は種々の態様で実施することができるものであり、その１実施例を図１に示している。図１の実施例においては従来の虫めがね形状をなしており、拡大鏡としてのレンズ１を内部に保持しているフレーム２には取っ手３を取り付けている。このフレーム２には一部に幅広部分４を備え、この幅広部分４にレンズ１に隣接して液晶等のカレンダー表示部５を備えており、内部に図示されていない時計機能部を設けている。
【００１４】
フレーム２には、また時計機能部及び液晶の表示部、更に後述する照明具を作動する電池６の収納部７を備え、外部から電池交換可能としている。更に周囲が暗いときでも拡大鏡によってより細かい塵埃を見ることができるように、また、周囲が暗いときでも、或いは視力が弱い人でも容易に賞味期限等の細かい字を見ることができるように、発光ダイオード等からなる照明具８を設け、この照明具による照明のオンオフを行うスイッチ９も設けている。照明具８は被観測部分を照明するため、フレーム２において前記カレンダー表示部５の裏面側に配置される。更に図示実施例では、このカレンダー付拡大鏡を持ち運び容易にするため、ストラップ等の取付部１０を取っ手３の端部に設けている。
【００１５】
カレンダー表示部５には種々の態様でカレンダー表示を行うことができ、例えば図１（ｃ）のような年月日のみを表示し、或いは表示部分が広いときには必要に応じて同図（ｄ）のように、年月日のほか時刻も表示しても良い。このカレンダーの表示態様は任意に設定することができ、例えば数字のみによっても表示可能である。
【００１６】
このようなカレンダー付拡大鏡の使用に際しては、前記のような標準尺管理に際して、標準尺に塵埃が付着していないか、傷はないか等の検査を行うとき、標準尺の表面をこの拡大鏡で検査を行い、検査記録にこの作業日時を記入するとき、拡大鏡のカレンダー表示部５の周囲に表示されている日時を見ることにより容易に、且つ間違いなくその記入作業を行うことができる。その際周囲が暗いとき、或いはより詳細に標準尺の表面を検査したいときには、スイッチ９を操作して照明具８の照明を点灯して検査作業を行うことができる。
【００１７】
また、前記のような食料品等の製造年月日、賞味期限、消費期限等を確認するとき、このカレンダー付拡大鏡を使用し、細かな字で記載されているこれらの文字を容易に見ることができると共に、賞味期限等と現在の日付とを１つの視野内で容易に比較し検討することができる。
【実施例２】
【００１８】
図２には本発明の第２実施例を示している。この実施例においては前記実施例と異なりカード状をなしており、メモ帳やノート等に挟んで携帯することができるようになっている。即ち図２に示すカレンダー付拡大鏡においては、平面視長方形のレンズ１１を内部に保持しているフレーム１２には、その一部に幅広部分１４を備え、この幅広部分１４に液晶等のカレンダー表示部１５を備えており、内部に図示されていない液晶時計機能部を設けている。またこの時計及び照明具を作動する電池１６の収納部１７を備え、外部から電池交換可能としており、更に発光ダイオード等からなる照明具１８を設け、この照明具による照明のオンオフを行うスイッチ１９も設けている。更に図示実施例では、このカレンダー付拡大鏡を持ち運び容易にするため、ストラップ等の取付穴１３を設け、また商店のサービスとして食料品の賞味期限等を容易に確認できるようにするため、このカレンダー付拡大鏡をショーケース等に容易に固定できるように磁石２０を設けている。
【００１９】
この実施例においては、拡大鏡を通常の凸レンズとするほか、従来から用いられているフレネルレンズ等の平板形状のレンズも用いることができ、このようなフレネルレンズ等を用いるときには薄いレンズとすることができるため、携帯が容易となる。なお、カレンダー表示部１５に表示する年月日等の表示態様は、前記図１（ｃ）（ｄ）のように、種々の態様を選択することができる。
【実施例３】
【００２０】
前記実施例においてはレンズ及びフレームを平面視矩形としたものであるが、その他、図３に示す第３実施例のようにフレームを平面視三角形状としてもよい。このカレンダー付拡大鏡においても、中心にレンズ２１を保持しているフレーム２２は平面視三角形状をなし、三角形状の各角部に種々の機能部を配置できるようにしている。図示の例では一つの角部にカレンダー表示部２５を配置し、他の角部に電池２６を収納する電池収納部を配置し、更に他の角部に照明具２８及びそのオンオフを行うスイッチ２９を配置している。また、前記と同様の趣旨により、取付穴２３及び磁石３０を設けている。
【００２１】
上記実施例においては、平面視三角形状のフレームの中心に円形のレンズ２１を保持し、それにより周囲に形成される３つの角部に前記のような各機能部を配置することができ、コンパクトで、意匠性の高いカレンダー付レンズとすることができる。このカレンダー表示部２５に表示する年月日等の表示態様も、前記と同様に種々の態様を選択することができる。
【実施例４】
【００２２】
本発明は更に、例えば図４に示すような平面視楕円形状をなすフレームを採用することができる。図４に示す第４実施例においては、中心にレンズ３１を保持しているフレーム３２は平面視楕円形状をなし、中心のレンズ３１の両側に形成される幅広部分に種々の機能部を配置できるようにしている。図示の例では片側の幅広部分にカレンダー表示部３５を配置し、他の側の幅広部に電池３６を収納する電池収納部３７、照明具３８及びそのスイッチ３９を配置している。また、前記と同様の趣旨により、取付穴３３及び磁石４０を設けている。
【００２３】
このような平面視楕円形状のフレームの中心に円形のレンズを保持し、それにより形成されるレンズの両側におけるフレームの幅広部分に各機能部を配置することができ、コンパクトで且つ意匠性の高いカレンダー付レンズとすることができる。
【実施例５】
【００２４】
図５には本発明によるカレンダー付拡大鏡の第５実施例を示す。この実施例においてはフレーム４１が断面視Ｌ字形をなし、レンズ４２が保持される第１平板部４３と、これと直角に延び、被観測物体との間隔を一定に保つ第２平板部４４から形成される。第１平板部４３の中心にはレンズ４２を保持し、図示の例では第１平板部４３から下方に延びる第２平板部４４の接続部側にカレンダー表示部４５を配置している。また他側の中心に照明具４８、その両側には電池４６を収納する電池収納部４７及びスイッチ４９を配置している。
【００２５】
このような互いに直交する第１平板部４３と第２平板部４４とにより断面Ｌ字型をなすフレームを用いることにより、第２平板部４４の下端を被観測物体に当接させるとレンズと被観測物体表面との間隔がほぼ一定となり、予めこの間隔を調節しておくことによりレンズの焦点位置合わせ作業が不要となるので、観察作業等が容易に行われるようになる。なお、カレンダー表示部等の配置は、使用形態によって任意の位置に配置することができる。
【実施例６】
【００２６】
図６には第６実施例を示す。この実施例においてはフレーム５１が断面視コ字形状をなし、前記第５実施例よりも、より観察作業が容易になるようにしている。即ちこのフレーム５１は、レンズ５２が保持される第１平板部５３と、これと直角に延び、被観測物体との間隔を一定に保つ第２平板部５４と、この第２平板部５４から直角に、即ち第１平板部５３と平行に延びる台座部５５から構成される。なお、第１平板部５３において中心のレンズ５２の周囲に配置されるカレンダー表示部５６、電池５６を収納する電池収納部５７、照明具５８、スイッチ５９については、前記第５実施例と同様のものを示している。
【００２７】
このような断面コ字形をなすフレームを用いることにより、中心部分に大きな切り欠き部５４を設けた台座部５５を被観測物体の表面に載置することにより、レンズの焦点位置合わせ作業が不要となり、しかも被観測物体に載置した状体で観察作業を行うことができるので、拡大鏡を保持する必要が無くなり、この状態のまま観察記録等の作業を行うことができるようになる。
【００２８】
本発明は上記のような実施例のほか、レンズについては凸レンズとフレネルレンズの選択、フレーム形状の変更、カレンダー表示の各種態様の選択、照明部、電池収納部、スイッチ等の各機能部の配置の選択等により、更に種々の態様で実施することができる。
【実施例７】
【００２９】
図７には第７実施例を示す。この実施例においてはフレーム６１が前記実施例と同様に断面視コ字形状をなすが、前記実施例と異なりレンズ等を設けた第１平板部６３の両側から同方向に平行に延びる第２平板部６４及び第３平板部７０とからなる。なお、第１平板部６３において中心のレンズ６２の周囲に配置されるカレンダー表示部６５、電池６６を収納する電池収納部６７、照明具６８、スイッチ６９については、前記第６実施例と同様のものを示している。
【００３０】
このようなフレームを用いることにより、レンズ等が設けられた第１平板部６３の両側に脚としての第２平板部６４及び第３平板部７０が設けられることとなり、両平板部の下端部を被観測物体の表面に載置することにより、レンズの焦点位置合わせ作業が不要となり、また被観測物体に載置した状体で観察作業を行うことができ、拡大鏡を保持する必要が無く、この状態のまま観察記録等の作業を行うことができるようになるのは前記実施例と同様である。
【図面の簡単な説明】
【００３１】
【図１】本発明の第１実施例を示す図である。
【図２】本発明の第２実施例を示す図である。
【図３】本発明の第３実施例を示す図である。
【図４】本発明の第４実施例を示す図である。
【図５】本発明の第５実施例を示す図である。
【図６】本発明の第６実施例を示す図である。
【図７】本発明の第７実施例を示す図である。
【符号の説明】
【００３２】
１  レンズ
２  フレーム
３  取っ手
４  幅広部
５  カレンダー表示部
６  電池
７  電池収納部
８  照明具
９  スイッチ
【図１】
2008242072.tif 000003
【図２】
2008242072.tif 000004
【図３】
2008242072.tif 000005
【図４】
2008242072.tif 000006
【図５】
2008242072.tif 000007
【図６】
2008242072.tif 000008
【図７】
2008242072.tif 000009